(57)【要約】      （修正有）【課題】生産ラインの何処にいても、迷わずスイッチを素早く操作できる様にする。【解決手段】工場における生産ライン近傍の上方箇所、例えば、天井や梁に設置されるスイッチ体１と、該スイッチ体１に設けられて所定動作させることにより電気回路の接続状態を変更する操作体４に、一端を締結され生産ラインの流れ方向に沿って生産ライン近傍の上方に張設されるロープ体２と、該ロープ体２の他端が締結され、生産ラインの上方箇所に固設される支持体３とから成し、前記ロープ体２を引下げることで、操作体４が所定動作する様にする。【選択図】図１
0003115160.tif 000002
【実用新案登録請求の範囲】
【請求項１】
工場における生産ライン近傍の上方箇所に設置されるスイッチ体と、該スイッチ体に設
けられて所定動作させることにより電気回路の接続状態を変更する操作体に、一端を締結
され生産ラインの流れ方向に沿って生産ライン近傍の上方に張設されるロープ体と、該ロ
ープ体の他端が締結され、生産ラインの上方箇所に固設される支持体とから成し、前記ロ
ープ体を引下げることで、操作体が所定動作する様にしたことを特徴とするロープスイッ
チアセンブリ。
【請求項２】
筐体にスイッチ本体を内装し、該スイッチ本体の操作用プッシュボタンに対向する近接
位置に、操作体としての操作レバーの先端を配置し、該先端が前記プッシュボタンに対し
進退する方向にて操作レバーが揺動可能に操作レバーの中間部を筐体に枢着すると共に、
操作レバーの後端を筐体外に突出させ、かかる後端にロープ体の締結部を設けて、スイッ
チ体としたことを特徴とする請求項１記載のロープスイッチアセンブリ。
【請求項３】
操作レバーにおける後端寄りの位置と筐体との間にバネを設け、該バネによって、操作
レバーの先端がプッシュボタンから後退する方向に付勢されていることを特徴とする請求
項２記載のロープスイッチアセンブリ。
【考案の詳細な説明】
【技術分野】
【０００１】
本考案は、各種工場の生産ラインに配設され、生産ラインの緊急停止、警告灯の点灯、
警報の鳴動など緊急処理を発動するためのロープスイッチアセンブリに関する。
【背景技術】
【０００２】
従来より、各種工場の生産ラインには、機械のトラブル等の緊急時の対処を発動するた
めのスイッチが随所に設けられている。
このスイッチは、その操作により、生産ラインを緊急停止したり、或いは、警告灯を点
灯し、若しくは警報を鳴らして、異常を知らせるためのものである。
そのため、長大な生産ラインを有する工場では、この様なスイッチを生産ラインの近傍
に数多く配設していた。
【考案の開示】
【考案が解決しようとする課題】
【０００３】
ところが、いかなる工場においても作業者や管理者の省人数化は重要な課題で、一般に
１つの生産ラインに配置される人は少なく、長大な生産ラインを１人の者が管理する場合
もあり、そのため、幾ら多くのスイッチを配設したところで、トラブル発生時に必ずしも
スイッチの近くにいられるとは限らず、スイッチの設置箇所まで、駆けていかねばならな
い場合もあった。
又、熟練者であれば良いが、初心者はスイッチの設置箇所がわからず、トラブル時に慌
ててスイッチを捜さなければならないことから、対応が遅れてしまい、ライン稼働の復旧
に時間を要した。
更に、生産ラインのレイアウトの関係から、床上に立設した脚体上部にスイッチを取付
けねばならない場合もあり、脚体が人や物の移動の邪魔になって、生産効率向上の障害と
なった。
【課題を解決するための手段】
【０００４】
本考案は、上記課題に鑑み、工場における生産ライン近傍の上方箇所、例えば、天井や
梁に設置されるスイッチ体と、該スイッチ体に設けられて所定動作させることにより電気
回路の接続状態を変更する操作体に、一端を締結され生産ラインの流れ方向に沿って生産
ライン近傍の上方に張設されるロープ体と、該ロープ体の他端が締結され、生産ラインの
上方箇所に固設される支持体とから成し、前記ロープ体を引下げることで、操作体が所定
動作する様にすることによって、かかるロープ体を緊急処理発動用のスイッチと成し、生
産ラインの何処にいても、迷わず素早く操作できる様にして、上記課題を解決する。
【考案の効果】
【０００５】
要するに本考案は、スイッチ体と、ロープ体と、支持体とから成したので、生産ライン
の上方箇所（例えば、工場の天井や梁など。）であって、生産ラインの一端近傍にスイッ
チ体を設置すると共に、生産ラインの他端近傍に支持体を固設し、スイッチ体に設けた操
作体と、支持体との間にロープ体を張り渡すことによって、生産ライン上方の略全域にロ
ープ体を配設して、何処にいても、一目でロープ体の位置を認識して、直ちにロープ体を
掴める様にすることが出来る。
又、スイッチ体、ロープ体、及び支持体が、全て生産ラインの上方箇所に設置されるこ
とから、人や物の移動の邪魔にならず、作業効率の向上を図ることが出来るだけでなく、
衝突等の危険を回避し、安全性の向上を図ることも出来る。
そして、ロープ体を引下げることで、操作体が所定動作し、該所定動作により、電気回
路の接続状態を変更する様にしたので、適宜設定しておけば、トラブルが発生した際、ロ
ープ体を引下げるだけで、素早く生産ラインの緊急停止、警告灯の点灯、警報の鳴動など
緊急処理を発動させることが出来る。
【０００６】
筐体にスイッチ本体を内装し、該スイッチ本体の操作用プッシュボタンに対向する近接
位置に、操作体としての操作レバーの先端を配置し、該先端が前記プッシュボタンに対し
進退する方向にて操作レバーが揺動可能に操作レバーの中間部を筐体に枢着すると共に、
操作レバーの後端を筐体外に突出させ、かかる後端にロープ体の締結部を設けて、スイッ
チ体としたので、従前より使用されているスイッチ本体を利用することが出来るため、信
頼性を確保することが出来るだけでなく、部品の供給が安定しており、入手が容易である
ため、コストを低く抑えることが出来る。
【０００７】
操作レバーにおける後端寄りの位置と筐体との間にバネを設け、該バネによって、操作
レバーの先端がプッシュボタンから後退する方向に付勢されているので、ロープ体を強く
張ってテンションを付加しても、操作レバー先端の後退状態を保持することが出来る。
又、テンションを付加することによって、ロープ体の引下げ操作の際、手応えを確実に
伝えて、操作感を明瞭にすることが出来る。
更に、ロープ体に器具等を引っ掛けてしまい、意図せずして、ロープ体を引下げてしま
っても、直ちにプッシュボタンが押圧されないため、誤操作を防止することが出来る等そ
の実用的効果甚だ大である。
【考案を実施するための最良の形態】
【０００８】
以下本考案の一実施例について図面に基づき説明する。
図１に示す様に、本考案に係るロープスイッチアセンブリは、工場における生産ライン
近傍の上方箇所、例えば、工場の天井や柱間に設けられた梁などに設置されるもので、ス
イッチ体１と、ロープ体２と、支持体３とから成る。
そして、生産ラインの一端近傍にスイッチ体１を設置し、生産ラインの他端近傍に支持
体３を固設し、スイッチ体１に設けられた操作体４にロープ体２の一端を締結すると共に
、他端を支持体３に締結して、ロープ体２を生産ラインの流れ方向に沿って生産ライン近
傍の上方に張設している。
操作体４は、その所定動作により、電気回路を開閉して、接続状態を変更するものであ
り、操作体４に締結したロープ体２を引下げることで、操作体４が所定動作される様にし
ている。
【０００９】
以下、実施例に基づき本考案について更に詳細に説明する。
図２〜３に示す様に、本実施例のロープスイッチアセンブリは、スイッチ体１として、
筐体５にスイッチ本体６を内装し、該スイッチ本体６の操作用プッシュボタン７に対向す
る近接位置に、操作体４としての操作レバー（４）の先端を配置し、該先端が前記プッシ
ュボタン７に対し進退する方向にて操作レバー４が揺動可能に操作レバー４の中間部を筐
体５に枢着すると共に、操作レバー４の後端を筐体５の外側に突出させ、かかる後端に貫
通孔を設け、該貫通孔をロープ体２の締結部８としている。
【００１０】
操作レバー４における後端寄りの位置に引張バネ９の一端を取付け、他端を筐体１の側
面に取付け、該引張バネ９によって、操作レバー４の先端がプッシュボタン７から後退す
る方向に付勢している。
尚、引張バネ９に代えて、圧縮バネを用いても良く、この場合は、圧縮バネを取付ける
位置を、筐体１における上記引張バネ９を取付けた位置の対面位置とすれば良く、要する
に、操作レバー４と筐体１との間に設けたバネによって、操作レバー４の先端がプッシュ
ボタン７から後退する方向に付勢されてれば良い。
又、筐体１の外側面に発光体10を取付け、該発光体10の制御部11を筐体１内に固設して
おり、かかる発光体10は操作レバー４（プッシュボタン７）を操作することで、点滅する
様に設定されている。
発光体10としては、電球、発光ダイオード等で良い。
【図面の簡単な説明】
【００１１】
【図１】本考案に係るロープスイッチアセンブリの概略図である。
【図２】同上スイッチ体の筐体蓋を外した状態の正面図である。
【図３】同上スイッチ体の平面図である。
【図４】同上スイッチ体の左側面図である。
【符号の説明】
【００１２】
１  椀本体
２  持ち手
３  突帯
４  胴部
５  縮径部
１  スイッチ体
２  ロープ体
３  支持体
４  操作体
５  筐体
６  スイッチ本体
７  プッシュボタン
８  締結部
９  引張バネ
【図１】
0003115160.tif 000003
【図２】
0003115160.tif 000004
【図３】
0003115160.tif 000005
【図４】
0003115160.tif 000006